(57)【要約】【課題】印刷出力やファクシミリ送信やフォーマット変換などの機能をコンピュータプログラムで実装する場合でも記憶エリアやワークメモリの消費が最小限である画像処理装置を提供する。【解決手段】電子データをビットマップ形式の画像データに変換し、フォーマット変換が指示されると電子データをビットマップ形式の画像データに変換してから保持し、印刷出力が指示されると電子データをビットマップ形式の画像データに変換してから印刷データとして伝送し、ファクシミリ送信が指示されると電子データをビットマップ形式の画像データに変換してからファクシミリデータとして伝送する。従って、電子データをビットマップ形式に変換する機能と印刷データに変換する機能とファクシミリデータに変換する機能とを兼用することができる。【選択図】図１
2008131131.tif 000002
【特許請求の範囲】
【請求項１】
電子データに所定処理を実行する画像処理装置であって、
前記電子データを保持するデータ保持部と、
前記電子データをビットマップ形式の画像データに変換するデータ変換部と、
変換された前記画像データをＴＩＦ(Tagged Image File)形式で保持する画像保持部と、
変換された前記画像データを印刷データとして外部のプリンタ装置に伝送する印刷伝送部と、
保持されている前記電子データを前記ＴＩＦ形式に変換させて保持させるフォーマット変換の入力操作を受け付ける変換操作部と、
保持されている前記電子データの印刷出力の入力操作を受け付ける印刷操作部と、
前記フォーマット変換が受け付けられると前記データ変換部による変換と前記画像保持部による保持とを実行させる保持制御部と、
前記印刷出力が受け付けられると前記データ変換部による変換と前記印刷伝送部による伝送とを実行させる印刷制御部と、
を有する画像処理装置。
【請求項２】
電子データに所定処理を実行する画像処理装置であって、
前記電子データを保持するデータ保持部と、
前記電子データをビットマップ形式の画像データに変換するデータ変換部と、
変換された前記画像データをＴＩＦ形式で保持する画像保持部と、
変換された前記画像データをファクシミリデータとして外部のファクシミリ装置に伝送するファクシミリ伝送部と、
保持されている前記電子データを前記ＴＩＦ形式に変換させて保持させるフォーマット変換の入力操作を受け付ける変換操作部と、
保持されている前記電子データのファクシミリ送信の入力操作を受け付けるファクシミリ操作部と、
前記フォーマット変換が受け付けられると前記データ変換部による変換と前記画像保持部による保持とを実行させる保持制御部と、
前記ファクシミリ送信が受け付けられると前記データ変換部による変換と前記ファクシミリ伝送部による伝送とを実行させるファクシミリ制御部と、
を有する画像処理装置。
【請求項３】
電子データに所定処理を実行する画像処理装置であって、
前記電子データを保持するデータ保持部と、
前記電子データをビットマップ形式の画像データに変換するデータ変換部と、
変換された前記画像データを印刷データとして外部のプリンタ装置に伝送する印刷伝送部と、
変換された前記画像データをファクシミリデータとして外部のファクシミリ装置に伝送するファクシミリ伝送部と、
保持されている前記電子データの印刷出力の入力操作を受け付ける印刷操作部と、
保持されている前記電子データのファクシミリ送信の入力操作を受け付けるファクシミリ操作部と、
前記印刷出力が受け付けられると前記データ変換部による変換と前記印刷伝送部による伝送とを実行させる印刷制御部と、
前記ファクシミリ送信が受け付けられると前記データ変換部による変換と前記ファクシミリ伝送部による伝送とを実行させるファクシミリ制御部と、
を有する画像処理装置。
【請求項４】
電子データに所定処理を実行する画像処理装置であって、
前記電子データを保持するデータ保持部と、
前記電子データをビットマップ形式の画像データに変換するデータ変換部と、
変換された前記画像データをＴＩＦ形式で保持する画像保持部と、
変換された前記画像データを印刷データとして外部のプリンタ装置に伝送する印刷伝送部と、
変換された前記画像データをファクシミリデータとして外部のファクシミリ装置に伝送するファクシミリ伝送部と、
保持されている前記電子データを前記ＴＩＦ形式に変換させて保持させるフォーマット変換の入力操作を受け付ける変換操作部と、
保持されている前記電子データの印刷出力の入力操作を受け付ける印刷操作部と、
保持されている前記電子データのファクシミリ送信の入力操作を受け付けるファクシミリ操作部と、
前記フォーマット変換が受け付けられると前記データ変換部による変換と前記画像保持部による保持とを実行させる保持制御部と、
前記印刷出力が受け付けられると前記データ変換部による変換と前記印刷伝送部による伝送とを実行させる印刷制御部と、
前記ファクシミリ送信が受け付けられると前記データ変換部による変換と前記ファクシミリ伝送部による伝送とを実行させるファクシミリ制御部と、
を有する画像処理装置。
【請求項５】
請求項３または４に記載の画像処理装置と、
前記プリンタ装置と前記ファクシミリ装置とを兼用していて前記印刷伝送部から伝送される前記画像データを印刷出力するとともに前記ファクシミリ伝送部から伝送される前記画像データをファクシミリ送信するＭＦＰ(Multi Function Peripherals)と、
を有する画像処理システム。
【請求項６】
電子データに所定処理を実行する画像処理装置のためのコンピュータプログラムであって、
前記電子データを保持するデータ保持処理と、
前記電子データをビットマップ形式の画像データに変換するデータ変換処理と、
変換された前記画像データをＴＩＦ形式で保持する画像保持処理と、
変換された前記画像データを印刷データとして外処理のプリンタ装置に伝送する印刷伝送処理と、
保持されている前記電子データを前記ＴＩＦ形式に変換させて保持させるフォーマット変換の入力操作を受け付ける変換操作処理と、
保持されている前記電子データの印刷出力の入力操作を受け付ける印刷操作処理と、
前記フォーマット変換が受け付けられると前記データ変換処理による変換と前記画像保持処理による保持とを実行させる保持制御処理と、
前記印刷出力が受け付けられると前記データ変換処理による変換と前記印刷伝送処理による伝送とを実行させる印刷制御処理と、
を前記画像処理装置に実行させるコンピュータプログラム。
【請求項７】
電子データに所定処理を実行する画像処理装置のためのコンピュータプログラムであって、
前記電子データを保持するデータ保持処理と、
前記電子データをビットマップ形式の画像データに変換するデータ変換処理と、
変換された前記画像データをＴＩＦ形式で保持する画像保持処理と、
変換された前記画像データをファクシミリデータとして外処理のプリンタ装置に伝送するファクシミリ伝送処理と、
保持されている前記電子データを前記ＴＩＦ形式に変換させて保持させるフォーマット変換の入力操作を受け付ける変換操作処理と、
保持されている前記電子データのファクシミリ送信の入力操作を受け付けるファクシミリ操作処理と、
前記フォーマット変換が受け付けられると前記データ変換処理による変換と前記画像保持処理による保持とを実行させる保持制御処理と、
前記ファクシミリ送信が受け付けられると前記データ変換処理による変換と前記ファクシミリ伝送処理による伝送とを実行させるファクシミリ制御処理と、
を前記画像処理装置に実行させるコンピュータプログラム。
【請求項８】
電子データに所定処理を実行する画像処理装置のためのコンピュータプログラムであって、
前記電子データを保持するデータ保持処理と、
前記電子データをビットマップ形式の画像データに変換するデータ変換処理と、
変換された前記画像データを印刷データとして外処理のプリンタ装置に伝送する印刷伝送処理と、
変換された前記画像データをファクシミリデータとして外処理のプリンタ装置に伝送するファクシミリ伝送処理と、
保持されている前記電子データの印刷出力の入力操作を受け付ける印刷操作処理と、
保持されている前記電子データのファクシミリ送信の入力操作を受け付けるファクシミリ操作処理と、
前記印刷出力が受け付けられると前記データ変換処理による変換と前記印刷伝送処理による伝送とを実行させる印刷制御処理と、
前記ファクシミリ送信が受け付けられると前記データ変換処理による変換と前記ファクシミリ伝送処理による伝送とを実行させるファクシミリ制御処理と、
を前記画像処理装置に実行させるコンピュータプログラム。
【請求項９】
電子データに所定処理を実行する画像処理装置のためのコンピュータプログラムであって、
前記電子データを保持するデータ保持処理と、
前記電子データをビットマップ形式の画像データに変換するデータ変換処理と、
変換された前記画像データをＴＩＦ形式で保持する画像保持処理と、
変換された前記画像データを印刷データとして外処理のプリンタ装置に伝送する印刷伝送処理と、
変換された前記画像データをファクシミリデータとして外処理のプリンタ装置に伝送するファクシミリ伝送処理と、
保持されている前記電子データを前記ＴＩＦ形式に変換させて保持させるフォーマット変換の入力操作を受け付ける変換操作処理と、
保持されている前記電子データの印刷出力の入力操作を受け付ける印刷操作処理と、
保持されている前記電子データのファクシミリ送信の入力操作を受け付けるファクシミリ操作処理と、
前記フォーマット変換が受け付けられると前記データ変換処理による変換と前記画像保持処理による保持とを実行させる保持制御処理と、
前記印刷出力が受け付けられると前記データ変換処理による変換と前記印刷伝送処理による伝送とを実行させる印刷制御処理と、
前記ファクシミリ送信が受け付けられると前記データ変換処理による変換と前記ファクシミリ伝送処理による伝送とを実行させるファクシミリ制御処理と、
を前記画像処理装置に実行させるコンピュータプログラム。
【発明の詳細な説明】
【技術分野】
【０００１】
本発明は、電子データに所定処理を実行する画像処理装置に関し、特に、電子データを印刷データやファクシミリデータに変換してプリンタ装置やファクシミリ装置に伝送する画像処理装置に関する。
【背景技術】
【０００２】
現在、いわゆるコンピュータ装置にコンピュータプログラムをインストールすることにより、画像処理装置として各種の機能を実装することが実施されている。例えば、ティフメーカと呼称されるコンピュータプログラムがインストールされると、電子データをＴＩＦ形式に変換して保持する機能が実装される。
【０００３】
この場合、電子データをビットマップ形式に変換してから所定形式で符号化し、ＴＩＦ形式としてのヘッダデータを付加することにより、ＴＩＦ形式の画像データが生成される。
【０００４】
また、プリンタドライバと呼称されるコンピュータプログラムがインストールされると、電子データを印刷データに変換して外部のプリンタ装置に伝送する機能が実装される。
【０００５】
同様に、ファクシミリドライバと呼称されるコンピュータプログラムがインストールされると、電子データをファクシミリデータに変換して外部のファクシミリ装置に伝送する機能が実装される。
【０００６】
現在、上述のような画像処理装置として各種の提案がある(例えば、特許文献１，２参照)。
【特許文献１】特開２００５−０２１９２５号公報
【特許文献２】特開２０００−２２４３６６号公報
【発明の開示】
【発明が解決しようとする課題】
【０００７】
コンピュータ装置は、上述のように各種のコンピュータプログラムがインストールされることにより、各種の機能が実装される。しかし、換言すると、複数の機能を実装するためには、複数のコンピュータプログラムをインストールする必要がある。
【０００８】
コンピュータ装置は、複数のコンピュータプログラムがインストールされると、コンピュータ装置のＨＤＤ(Hard Disc Drive)等の記憶エリアが多量に占有される。このため、記憶エリアが不足している場合は、必要な機能を実装できないことになる。
【０００９】
また、一般的にコンピュータプログラムは実行されるときにはインストールされているＨＤＤからＲＡＭ(Random Access Memory)等のワークメモリに複写される。このため、複数のコンピュータプログラムが並列に起動されるとワークメモリの記憶エリアが多量に占有される。この場合、コンピュータ装置の動作が不安定となることがある。
【００１０】
本発明は上述のような課題に鑑みてなされたものであり、印刷出力やファクシミリ送信やフォーマット変換などの複数の機能をコンピュータプログラムで実装させる場合でも記憶エリアの占有を最小限とすることができる画像処理装置、そのコンピュータプログラム、を提供するものである。
【課題を解決するための手段】
【００１１】
本発明の一の画像処理装置は、電子データに所定処理を実行する画像処理装置であって、電子データを保持するデータ保持部と、電子データをビットマップ形式の画像データに変換するデータ変換部と、変換された画像データをＴＩＦ形式で保持する画像保持部と、変換された画像データを印刷データとして外部のプリンタ装置に伝送する印刷伝送部と、保持されている電子データをＴＩＦ形式に変換させて保持させるフォーマット変換の入力操作を受け付ける変換操作部と、保持されている電子データの印刷出力の入力操作を受け付ける印刷操作部と、フォーマット変換が受け付けられるとデータ変換部による変換と画像保持部による保持とを実行させる保持制御部と、印刷出力が受け付けられるとデータ変換部による変換と印刷伝送部による伝送とを実行させる印刷制御部と、を有する。
【００１２】
従って、本発明の画像処理装置では、電子データをビットマップ形式の画像データに変換してからＴＩＦ形式で保持すること、電子データをビットマップ形式の画像データに変換してからプリンタ装置に印刷出力させること、を実行することができる。そして、これら複数の機能が一つのデータ変換部を共用している。
【００１３】
本発明の他の画像処理装置は、電子データに所定処理を実行する画像処理装置であって、電子データを保持するデータ保持部と、電子データをビットマップ形式の画像データに変換するデータ変換部と、変換された画像データをＴＩＦ形式で保持する画像保持部と、変換された画像データをファクシミリデータとして外部のファクシミリ装置に伝送するファクシミリ伝送部と、保持されている電子データをＴＩＦ形式に変換させて保持させるフォーマット変換の入力操作を受け付ける変換操作部と、保持されている電子データのファクシミリ送信の入力操作を受け付けるファクシミリ操作部と、フォーマット変換が受け付けられるとデータ変換部による変換と画像保持部による保持とを実行させる保持制御部と、ファクシミリ送信が受け付けられるとデータ変換部による変換とファクシミリ伝送部による伝送とを実行させるファクシミリ制御部と、を有する。
【００１４】
従って、本発明の画像処理装置では、電子データをビットマップ形式の画像データに変換してからＴＩＦ形式で保持すること、電子データをビットマップ形式の画像データに変換してからファクシミリ装置にファクシミリ送信させること、を実行することができる。そして、これら複数の機能が一つのデータ変換部を共用している。
【００１５】
本発明のさらに他の画像処理装置は、電子データに所定処理を実行する画像処理装置であって、電子データを保持するデータ保持部と、電子データをビットマップ形式の画像データに変換するデータ変換部と、変換された画像データを印刷データとして外部のプリンタ装置に伝送する印刷伝送部と、変換された画像データをファクシミリデータとして外部のファクシミリ装置に伝送するファクシミリ伝送部と、保持されている電子データの印刷出力の入力操作を受け付ける印刷操作部と、保持されている電子データのファクシミリ送信の入力操作を受け付けるファクシミリ操作部と、印刷出力が受け付けられるとデータ変換部による変換と印刷伝送部による伝送とを実行させる印刷制御部と、ファクシミリ送信が受け付けられるとデータ変換部による変換とファクシミリ伝送部による伝送とを実行させるファクシミリ制御部と、を有する。
【００１６】
従って、本発明の画像処理装置では、電子データをビットマップ形式の画像データに変換してからプリンタ装置に印刷出力させること、電子データをビットマップ形式の画像データに変換してからファクシミリ装置にファクシミリ送信させること、を実行することができる。そして、これら複数の機能が一つのデータ変換部を共用している。
【００１７】
本発明のさらに他の画像処理装置は、電子データに所定処理を実行する画像処理装置であって、電子データを保持するデータ保持部と、電子データをビットマップ形式の画像データに変換するデータ変換部と、変換された画像データをＴＩＦ形式で保持する画像保持部と、変換された画像データを印刷データとして外部のプリンタ装置に伝送する印刷伝送部と、変換された画像データをファクシミリデータとして外部のファクシミリ装置に伝送するファクシミリ伝送部と、保持されている電子データをＴＩＦ形式に変換させて保持させるフォーマット変換の入力操作を受け付ける変換操作部と、保持されている電子データの印刷出力の入力操作を受け付ける印刷操作部と、保持されている電子データのファクシミリ送信の入力操作を受け付けるファクシミリ操作部と、フォーマット変換が受け付けられるとデータ変換部による変換と画像保持部による保持とを実行させる保持制御部と、印刷出力が受け付けられるとデータ変換部による変換と印刷伝送部による伝送とを実行させる印刷制御部と、ファクシミリ送信が受け付けられるとデータ変換部による変換とファクシミリ伝送部による伝送とを実行させるファクシミリ制御部と、を有する。
【００１８】
従って、本発明の画像処理装置では、電子データをビットマップ形式の画像データに変換してからＴＩＦ形式で保持すること、電子データをビットマップ形式の画像データに変換してからプリンタ装置に印刷出力させること、電子データをビットマップ形式の画像データに変換してからファクシミリ装置にファクシミリ送信させること、を実行することができる。そして、これら複数の機能が一つのデータ変換部を共用している。
【００１９】
本発明の画像処理システムは、本発明の第三および第四の画像処理装置と、プリンタ装置とファクシミリ装置とを兼用していて印刷伝送部から伝送される画像データを印刷出力するとともにファクシミリ伝送部から伝送される画像データをファクシミリ送信するＭＦＰと、を有する。
【００２０】
本発明の一のコンピュータプログラムは、電子データに所定処理を実行する画像処理装置のためのコンピュータプログラムであって、電子データを保持するデータ保持処理と、電子データをビットマップ形式の画像データに変換するデータ変換処理と、変換された画像データをＴＩＦ形式で保持する画像保持処理と、変換された画像データを印刷データとして外処理のプリンタ装置に伝送する印刷伝送処理と、保持されている電子データをＴＩＦ形式に変換させて保持させるフォーマット変換の入力操作を受け付ける変換操作処理と、保持されている電子データの印刷出力の入力操作を受け付ける印刷操作処理と、フォーマット変換が受け付けられるとデータ変換処理による変換と画像保持処理による保持とを実行させる保持制御処理と、印刷出力が受け付けられるとデータ変換処理による変換と印刷伝送処理による伝送とを実行させる印刷制御処理と、を画像処理装置に実行させる。
【００２１】
従って、本発明のコンピュータプログラムでは、電子データをビットマップ形式の画像データに変換してからＴＩＦ形式で保持すること、電子データをビットマップ形式の画像データに変換してからプリンタ装置に印刷出力させること、を画像処理装置に実行させることができる。そして、これら複数の機能で一つのデータ変換処理が共用される。
【００２２】
本発明の他のコンピュータプログラムは、電子データに所定処理を実行する画像処理装置のためのコンピュータプログラムであって、電子データを保持するデータ保持処理と、電子データをビットマップ形式の画像データに変換するデータ変換処理と、変換された画像データをＴＩＦ形式で保持する画像保持処理と、変換された画像データをファクシミリデータとして外処理のプリンタ装置に伝送するファクシミリ伝送処理と、保持されている電子データをＴＩＦ形式に変換させて保持させるフォーマット変換の入力操作を受け付ける変換操作処理と、保持されている電子データのファクシミリ送信の入力操作を受け付けるファクシミリ操作処理と、フォーマット変換が受け付けられるとデータ変換処理による変換と画像保持処理による保持とを実行させる保持制御処理と、ファクシミリ送信が受け付けられるとデータ変換処理による変換とファクシミリ伝送処理による伝送とを実行させるファクシミリ制御処理と、を画像処理装置に実行させる。
【００２３】
従って、本発明のコンピュータプログラムでは、電子データをビットマップ形式の画像データに変換してからＴＩＦ形式で保持すること、電子データをビットマップ形式の画像データに変換してからファクシミリ装置にファクシミリ送信させること、を画像処理装置に実行させることができる。そして、これら複数の機能で一つのデータ変換処理が共用される。
【００２４】
本発明のさらに他のコンピュータプログラムは、電子データに所定処理を実行する画像処理装置のためのコンピュータプログラムであって、電子データを保持するデータ保持処理と、電子データをビットマップ形式の画像データに変換するデータ変換処理と、変換された画像データを印刷データとして外処理のプリンタ装置に伝送する印刷伝送処理と、変換された画像データをファクシミリデータとして外処理のプリンタ装置に伝送するファクシミリ伝送処理と、保持されている電子データの印刷出力の入力操作を受け付ける印刷操作処理と、保持されている電子データのファクシミリ送信の入力操作を受け付けるファクシミリ操作処理と、印刷出力が受け付けられるとデータ変換処理による変換と印刷伝送処理による伝送とを実行させる印刷制御処理と、ファクシミリ送信が受け付けられるとデータ変換処理による変換とファクシミリ伝送処理による伝送とを実行させるファクシミリ制御処理と、を画像処理装置に実行させる。
【００２５】
従って、本発明のコンピュータプログラムでは、電子データをビットマップ形式の画像データに変換してからプリンタ装置に印刷出力させること、電子データをビットマップ形式の画像データに変換してからファクシミリ装置にファクシミリ送信させること、を画像処理装置に実行させることができる。そして、これら複数の機能で一つのデータ変換処理が共用される。
【００２６】
本発明のさらに他のコンピュータプログラムは、電子データに所定処理を実行する画像処理装置のためのコンピュータプログラムであって、電子データを保持するデータ保持処理と、電子データをビットマップ形式の画像データに変換するデータ変換処理と、変換された画像データをＴＩＦ形式で保持する画像保持処理と、変換された画像データを印刷データとして外処理のプリンタ装置に伝送する印刷伝送処理と、変換された画像データをファクシミリデータとして外処理のプリンタ装置に伝送するファクシミリ伝送処理と、保持されている電子データをＴＩＦ形式に変換させて保持させるフォーマット変換の入力操作を受け付ける変換操作処理と、保持されている電子データの印刷出力の入力操作を受け付ける印刷操作処理と、保持されている電子データのファクシミリ送信の入力操作を受け付けるファクシミリ操作処理と、フォーマット変換が受け付けられるとデータ変換処理による変換と画像保持処理による保持とを実行させる保持制御処理と、印刷出力が受け付けられるとデータ変換処理による変換と印刷伝送処理による伝送とを実行させる印刷制御処理と、ファクシミリ送信が受け付けられるとデータ変換処理による変換とファクシミリ伝送処理による伝送とを実行させるファクシミリ制御処理と、を画像処理装置に実行させる。
【００２７】
従って、本発明のコンピュータプログラムでは、電子データをビットマップ形式の画像データに変換してからＴＩＦ形式で保持すること、電子データをビットマップ形式の画像データに変換してからプリンタ装置に印刷出力させること、電子データをビットマップ形式の画像データに変換してからファクシミリ装置にファクシミリ送信させること、を画像処理装置に実行させることができる。そして、これら複数の機能で一つのデータ変換処理が共用される。
【００２８】
なお、本発明の各種の構成要素は、その機能を実現するように形成されていればよく、例えば、所定の機能を発揮する専用のハードウェア、所定の機能がコンピュータプログラムにより付与されたコンピュータ装置、コンピュータプログラムによりコンピュータ装置に実現された所定の機能、これらの任意の組み合わせ、等として実現することができる。
【発明の効果】
【００２９】
本発明の一の画像処理装置では、電子データをビットマップ形式の画像データに変換してからＴＩＦ形式で保持すること、電子データをビットマップ形式の画像データに変換してからプリンタ装置に印刷出力させること、を実行することができる。そして、これら複数の機能が一つのデータ変換部を共用している。このため、これら複数の機能がコンピュータプログラムにより実装される場合でも、そのコンピュータプログラムを一つとすることができ、その実装や複写に占有される記憶エリアを削減することができる。
【００３０】
本発明の他の画像処理装置では、電子データをビットマップ形式の画像データに変換してからＴＩＦ形式で保持すること、電子データをビットマップ形式の画像データに変換してからファクシミリ装置にファクシミリ送信させること、を実行することができる。そして、これら複数の機能が一つのデータ変換部を共用している。このため、これら複数の機能がコンピュータプログラムにより実装される場合でも、そのコンピュータプログラムを一つとすることができ、その実装や複写に占有される記憶エリアを削減することができる。
【００３１】
本発明のさらに他の画像処理装置では、電子データをビットマップ形式の画像データに変換してからプリンタ装置に印刷出力させること、電子データをビットマップ形式の画像データに変換してからファクシミリ装置にファクシミリ送信させること、を実行することができる。そして、これら複数の機能が一つのデータ変換部を共用している。このため、これら複数の機能がコンピュータプログラムにより実装される場合でも、そのコンピュータプログラムを一つとすることができ、その実装や複写に占有される記憶エリアを削減することができる。
【００３２】
本発明のさらに他の画像処理装置では、電子データをビットマップ形式の画像データに変換してからＴＩＦ形式で保持すること、電子データをビットマップ形式の画像データに変換してからプリンタ装置に印刷出力させること、電子データをビットマップ形式の画像データに変換してからファクシミリ装置にファクシミリ送信させること、を実行することができる。そして、これら複数の機能が一つのデータ変換部を共用している。このため、これら複数の機能がコンピュータプログラムにより実装される場合でも、そのコンピュータプログラムを一つとすることができ、その実装や複写に占有される記憶エリアを削減することができる。
【００３３】
本発明の一のコンピュータプログラムでは、電子データをビットマップ形式の画像データに変換してからＴＩＦ形式で保持すること、電子データをビットマップ形式の画像データに変換してからプリンタ装置に印刷出力させること、を画像処理装置に実行させることができる。そして、これら複数の機能で一つのデータ変換処理が共用される。このため、実装や複写のために占有する画像処理装置の記憶エリアを削減することができる。
【００３４】
本発明の他のコンピュータプログラムでは、電子データをビットマップ形式の画像データに変換してからＴＩＦ形式で保持すること、電子データをビットマップ形式の画像データに変換してからファクシミリ装置にファクシミリ送信させること、を画像処理装置に実行させることができる。そして、これら複数の機能で一つのデータ変換処理が共用される。このため、実装や複写のために占有する画像処理装置の記憶エリアを削減することができる。
【００３５】
本発明のさらに他のコンピュータプログラムでは、電子データをビットマップ形式の画像データに変換してからプリンタ装置に印刷出力させること、電子データをビットマップ形式の画像データに変換してからファクシミリ装置にファクシミリ送信させること、を画像処理装置に実行させることができる。そして、これら複数の機能で一つのデータ変換処理が共用される。このため、実装や複写のために占有する画像処理装置の記憶エリアを削減することができる。
【００３６】
本発明のさらに他のコンピュータプログラムでは、電子データをビットマップ形式の画像データに変換してからＴＩＦ形式で保持すること、電子データをビットマップ形式の画像データに変換してからプリンタ装置に印刷出力させること、電子データをビットマップ形式の画像データに変換してからファクシミリ装置にファクシミリ送信させること、を画像処理装置に実行させることができる。そして、これら複数の機能で一つのデータ変換処理が共用される。このため、実装や複写のために占有する画像処理装置の記憶エリアを削減することができる。
【発明を実施するための最良の形態】
【００３７】
本発明の実施の一形態を図面を参照して以下に説明する。本実施の形態の画像処理システム１０００は、図１に示すように、画像処理装置１００とＭＦＰ２００とを有する。画像処理装置１００は、電子データに所定処理を実行する。
【００３８】
このため、本実施の形態の画像処理装置１００は、図１に示すように、電子データを保持するデータ保持部１０１と、電子データをビットマップ形式の画像データに変換するデータ変換部１０２と、変換されたビットマップ形式の画像データをＴＩＦ形式で保持する画像保持部１３３と、変換された画像データを印刷データとして外部のプリンタ装置に伝送する印刷伝送部１１３と、変換された画像データをファクシミリデータとして外部のファクシミリ装置に伝送するファクシミリ伝送部１２３と、保持されている電子データをＴＩＦ形式に変換させて保持させるフォーマット変換の入力操作を受け付ける変換操作部１３１と、保持されている電子データの印刷出力の入力操作を受け付ける印刷操作部１１１と、保持されている電子データのファクシミリ送信の入力操作を受け付けるファクシミリ操作部１２１と、フォーマット変換が受け付けられるとデータ変換部１０２による変換と画像保持部１３３による保持とを実行させる保持制御部１３２と、印刷出力が受け付けられるとデータ変換部１０２による変換と印刷伝送部１１３による伝送とを実行させる印刷制御部１１２と、ファクシミリ送信が受け付けられるとデータ変換部１０２による変換とファクシミリ伝送部１２３による伝送とを実行させるファクシミリ制御部１２２と、を有する。
【００３９】
より詳細には、画像処理装置１００は、いわゆるコンピュータ装置からなり、ＣＰＵ(Central Processing Unit)やＲＯＭ(Read Only Memory)やＲＡＭ(Random Access Memory)等からなるコンピュータユニット(図示せず)、ＨＤＤ(Hard Disc Drive)等の記憶デバイス、ＬＣＤ(Liquid Crystal Display)等の表示デバイス、キーボード等の入力デバイス、ＬＡＮ(Local Area Network)等でＭＦＰ２００などとデータ通信する通信Ｉ／Ｆ(Interface)、等をハードウェアとして有する(図示せず)。
【００４０】
画像処理装置１００は、各種のコンピュータプログラムがインストールされている。このインストールされているコンピュータプログラムに対応して各種の処理動作を実行することにより、上述のような各部が各種機能として論理的に実装されている。
【００４１】
例えば、各操作部１１１，１２１，１３１は、コンピュータユニットがコンピュータプログラムに対応して入力デバイスの入力データを認識する機能などに相当する。各保持部１０１，１３３は、コンピュータプログラムに対応してコンピュータユニットが認識するように記憶デバイスに構築された記憶エリアなどに相当する。
【００４２】
データ変換部１０２や各制御部１１２，１２２，１３２は、コンピュータユニットがコンピュータプログラムに対応して各種のデータ処理を実行する機能などに相当する。各伝送部１１３，１２３は、コンピュータユニットがコンピュータプログラムに対応して通信Ｉ／Ｆにデータ伝送を実行させる機能などに相当する。
【００４３】
ＭＦＰ２００は、通信Ｉ／Ｆ２１０、プリンタユニット２２０、ファクシミリユニット２３０、等をハードウェアとして有する。このため、ＭＦＰ２００は、プリンタ装置とファクシミリ装置とを兼用しており、印刷伝送部１１３から伝送される画像データを印刷出力するとともに、ファクシミリ伝送部１２３から伝送される画像データをファクシミリ送信する。
【００４４】
上述のような画像処理装置１００のためのコンピュータプログラムは、例えば、電子データを保持するデータ保持処理と、電子データをビットマップ形式の画像データに変換するデータ変換処理と、変換された画像データをＴＩＦ形式で保持する画像保持処理と、変換された画像データを印刷データとして外処理のプリンタ装置に伝送する印刷伝送処理と、変換された画像データをファクシミリデータとして外処理のプリンタ装置に伝送するファクシミリ伝送処理と、保持されている電子データをＴＩＦ形式に変換させて保持させるフォーマット変換の入力操作を受け付ける変換操作処理と、保持されている電子データの印刷出力の入力操作を受け付ける印刷操作処理と、保持されている電子データのファクシミリ送信の入力操作を受け付けるファクシミリ操作処理と、フォーマット変換が受け付けられるとデータ変換処理による変換と画像保持処理による保持とを実行させる保持制御処理と、印刷出力が受け付けられるとデータ変換処理による変換と印刷伝送処理による伝送とを実行させる印刷制御処理と、ファクシミリ送信が受け付けられるとデータ変換処理による変換とファクシミリ伝送処理による伝送とを実行させるファクシミリ制御処理と、を画像処理装置１００に実行させるように記述されている。
【００４５】
上述のようなコンピュータプログラムは、例えば、ＭＦＰ２００とセットで提供されるプリンタドライバのアプリケーションプログラムからなる。このようなコンピュータプログラムは、プリンタドライバの各種機能を設定する操作画面を表示デバイスに表示出力する機能もある。
【００４６】
この操作画面には、図２に示すように、印刷出力、ファクシミリ送信、フォーマット変換、等の設定ページがある。これらの設定ページにはタブがあり、そのタブの入力操作により選択的に表示される。
【００４７】
上述のような構成において、本実施の形態の画像処理装置１００の処理動作を以下に説明する。画像処理装置１００は、例えば、記憶デバイスに各種フォーマットの電子データが保存されている。
【００４８】
そこで、その電子データの印刷出力などを実行する場合、利用者は入力デバイスの入力操作などで所望の電子データを選択する。このような状態で、その電子データを利用者が印刷出力したい場合は、例えば、ショートカット操作やアイコン操作などで印刷出力を入力操作する(図示せず)。
【００４９】
すると、これを検知した画像処理装置１００では(ステップＳ１)、図５に示すように、印刷出力のデフォルト設定が読み出される(ステップＳ４)。そして、図２に示すように、そのデフォルト設定が入力された状態で操作画面の印刷出力の設定ページが表示デバイスに表示出力される(ステップＳ５)。
【００５０】
一方、前述のように電子データが選択された状態で、その電子データを利用者がファクシミリ送信したい場合は、例えば、入力デバイスの所定操作によりファクシミリ送信を入力操作する。
【００５１】
すると、これを検知した画像処理装置１００では(ステップＳ２)、図３および図６に示すように、操作画面のファクシミリ送信の設定ページが表示出力される(ステップＳ１４)。
【００５２】
また、前述のように電子データが選択された状態で、その電子データを利用者がＴＩＦ形式で保存したい場合は、例えば、入力デバイスの所定操作によりフォーマット変換を入力操作する。
【００５３】
すると、図５に示すように、これを検知した画像処理装置１００では(ステップＳ３)、図４および図７に示すように、操作画面のフォーマット変換の設定ページが表示出力される(ステップＳ２６)。
【００５４】
なお、前述のように操作画面の印刷出力の設定ページが表示デバイスに表示出力された状態でも(ステップＳ５)、その操作画面のファクシミリタブが入力操作されると(ステップＳ６)、ファクシミリ送信の設定ページが表示出力され(ステップＳ１４)、ティフタブが入力操作されると(ステップＳ７)、フォーマット変換の設定ページが表示出力される(ステップＳ２６)。
【００５５】
同様に、操作画面のファクシミリ送信の設定ページが表示デバイスに表示出力された状態でも(ステップＳ１４)、その操作画面の印刷タブが入力操作されると(ステップＳ１５)、印刷出力の設定ページが表示出力され(ステップＳ５)、ティフタブが入力操作されると(ステップＳ１６)、フォーマット変換の設定ページが表示出力される(ステップＳ２６)。
【００５６】
また、操作画面のフォーマット変換の設定ページが表示デバイスに表示出力された状態でも(ステップＳ２６)、その操作画面の印刷タブが入力操作されると(ステップＳ２７)、印刷出力の設定ページが表示出力され(ステップＳ５)、ファクシミリタブが入力操作されると(ステップＳ２８)、ファクシミリ送信の設定ページが表示出力される(ステップＳ１４)。
【００５７】
図２および図５に示すように、操作画面の印刷出力の設定ページが表示出力された状態で(ステップＳ５)、印刷部数や印刷用紙などの設定データが入力操作されると(ステップＳ８)、その印刷出力の設定データが保持される(ステップＳ９)。
【００５８】
このような状態で印刷実行が入力操作されると(ステップＳ１０)、電子データが画像データに変換される(ステップＳ１１)。このように変換される画像データは、印刷データとして利用できるビットマップ形式の画像データからなる。さらに、このビットマップ形式に変換された画像データは、ＭＭＲ(Modified Modified READ)方式などで符号化される。
【００５９】
そして、この画像データに各種データが付与されることなどにより、印刷データが生成される(ステップＳ１２)。例えば、ビットマップ形式の画像データに、印刷データとしてのヘッダデータが付与される。
【００６０】
さらに、前述のデフォルト設定や入力操作に対応して、印刷部数や印刷用紙などの設定データが画像データに付与される。このように生成された印刷データは、画像処理装置１００からＭＦＰ２００に伝送される(ステップＳ１３)。
【００６１】
すると、このＭＦＰ２００では、例えば、ヘッダデータにより受信データが印刷データであることが認識される。そして、付与されている印刷部数や印刷用紙などの印刷設定に対応して、印刷データの画像データが印刷出力される。
【００６２】
また、本実施の形態の画像処理装置１００では、図３および図６に示すように、操作画面のファクシミリ送信の設定ページが表示出力された状態で(ステップＳ１４)、ファクシミリ送信の設定データが入力操作されると(ステップＳ１７)、その設定データが保持される(ステップＳ１８)。
【００６３】
このような状態でファクシミリ実行が入力操作されると(ステップＳ１９)、ファクシミリ送信に必要な設定データが保持されているかが確認される(ステップＳ２０)。これで設定データが不足などしていると、「××が入力されていません」等のエラーガイダンスが表示出力される(ステップＳ２４)。
【００６４】
ファクシミリ送信に必要な設定データが保持されていると(ステップＳ２０)、印刷データの場合と同様に、電子データがビットマップ形式に変換されてからＭＭＲ方式などで符号化される(ステップＳ２１)。
【００６５】
さらに、この画像データに各種データが付与されることなどにより、ファクシミリデータが生成される(ステップＳ２２)。例えば、ビットマップ形式の画像データに、ファクシミリデータとしてのヘッダデータが付与される。
【００６６】
さらに、前述の入力操作に対応して、電話番号や解像度などの設定データが画像データに付与される。このように生成されたファクシミリデータは、画像処理装置１００からＭＦＰ２００に伝送される(ステップＳ２３)。
【００６７】
すると、このＭＦＰ２００では、例えば、ヘッダデータにより受信データがファクシミリデータであることが認識される。そして、付与されている電話番号や解像度などのファクシミリ設定に対応して、ファクシミリデータの画像データがファクシミリ送信される。
【００６８】
また、本実施の形態の画像処理装置１００では、図４および図７に示すように、操作画面のフォーマット変換の設定ページが表示出力された状態で(ステップＳ２６)、ファイル名や保存先などの設定データが入力操作されると(ステップＳ２９)、そのフォーマット変換の設定データが保持される(ステップＳ３０)。
【００６９】
このような状態で変換実行が入力操作されると(ステップＳ３１)、デフォルトや入力操作の設定データに対応して(ステップＳ２５，Ｓ２９)、印刷データやファクシミリデータの場合と同様に、電子データがビットマップ形式に変換されてからＭＭＲ方式などで符号化される(ステップＳ３２)。
【００７０】
そして、このビットマップ形式の画像データがヘッダデータの付加によりＴＩＦ形式とされ、設定データに対応して記憶エリアに保存される(ステップＳ３３)。このように保存されたＴＩＦ形式の画像データは、例えば、電子メールの添付ファイルとして送信することなどができる。
【００７１】
本実施の形態の画像処理装置１００は、上述のように電子データをビットマップ形式の画像データに変換してからＴＩＦ形式で保持すること、電子データをビットマップ形式の画像データに変換してからプリンタ装置に印刷出力させること、電子データをビットマップ形式の画像データに変換してからファクシミリ装置にファクシミリ送信させること、を実行することができる。
【００７２】
そして、これら複数の機能が一つのコンピュータプログラムにより実装されており、その電子データを画像データに変換する部分が共有されている。このため、コンピュータプログラムの実装や複写に占有される記憶エリアが削減されている。
【００７３】
従って、プリンタドライバとファクシミリドライバとティフメーカとのコンピュータプログラムが個別にインストールされていた従来手法に比較して、コンピュータプログラムが実装や複写される記憶エリアを大幅に削減することができる。
【００７４】
特に、一般的にプリンタドライバのコンピュータプログラムはプリンタ装置とともに提供され、ファクシミリドライバのコンピュータプログラムはファクシミリ装置とともに提供されている。
【００７５】
そして、上述のようにＭＦＰ２００はプリンタ装置とファクシミリ装置とを兼用している。このため、ＭＦＰ２００とともにプリンタドライバとファクシミリドライバとを兼用したコンピュータプログラムを提供すれば、コンピュータプログラムを作成して提供する製造メーカと、コンピュータプログラムを入手して画像処理装置１００に実装する利用者との、両者の負担を軽減することができる。
【００７６】
特に、上述のように電子データをビットマップ形式に変換することにより、ティフデータおよび印刷データおよびファクシミリデータとして利用できる画像データを生成する。このため、三種類に利用できる画像データを既存の簡単なデータ変換により生成することができる。
【００７７】
しかも、上述のようにプリンタドライバの設定画面に印刷出力とファクシミリ送信とフォーマット変換との設定ページが実装されている。このため、一つの設定画面で印刷出力とファクシミリ送信とフォーマット変換とを簡単に切り換えて入力操作することができる。
【００７８】
さらに、ショートカット操作やアイコン操作などで印刷出力やファクシミリ送信やフォーマット変換が直接に指定されると、その設定ページが直接に表示出力される。このため、印刷出力とファクシミリ送信とフォーマット変換とを迅速に実行することもできる。
【００７９】
なお、本発明は本実施の形態に限定されるものではなく、その要旨を逸脱しない範囲で各種の変形を許容する。例えば、上記形態ではコンピュータ装置にソフトウェアが実装されることで、画像処理装置１００の各部が各種機能として論理的に実現されていることを例示した。
【００８０】
しかし、画像処理装置１００の各部が専用の論理回路などのハードウェアで形成されていてもよく、一部がハードウェアで形成されているとともに一部がソフトウェアで実現されていてもよい。
【００８１】
また、上記形態では電子データをＴＩＦ形式に変換して保持する機能と印刷データに変換して伝送する機能とファクシミリデータに変換して伝送する機能とがコンピュータプログラムにより画像処理装置１００に実装されていることを例示した。
【００８２】
しかし、電子データをＴＩＦ形式に変換して保持する機能と印刷データに変換して伝送する機能のみ実装されていること、電子データをＴＩＦ形式に変換して保持する機能とファクシミリデータに変換して伝送する機能のみ実装されていること、電子データを印刷データに変換して伝送する機能とファクシミリデータに変換して伝送する機能のみ実装されていること、も可能である。
【００８３】
さらに、上記形態では電子データをＴＩＦ形式に変換して保持すること、印刷データに変換して伝送すること、ファクシミリデータに変換して伝送すること、が選択的に実行されることを例示した。
【００８４】
しかし、電子データをＴＩＦ形式に変換して保持すると同時に印刷データに変換して伝送する、ＴＩＦ形式に変換して保持すると同時にファクシミリデータに変換して伝送する、印刷データに変換して伝送すると同時にファクシミリデータに変換して伝送する、ＴＩＦ形式に変換して保持すると同時に印刷データとファクシミリデータとに変換して伝送する、等を実行できるようにしてもよい。
【００８５】
また、上記形態では画像処理装置１００にプリンタ装置とファクシミリ装置とを兼用したＭＦＰ２００が接続されていることを例示した。しかし、画像処理装置１００にプリンタ装置とファクシミリ装置とが並列に接続されていてもよい(図示せず)。
【図面の簡単な説明】
【００８６】
【図１】本発明の実施の形態の画像処理システムの論理構造を示す模式的なブロック図である。
【図２】画像処理装置のディスプレイデバイスにプリンタドライバの設定画面の印刷出力の設定ページが表示出力された状態を示す模式的な正面図である。
【図３】設定画面のファクシミリ送信の設定ページが表示出力された状態を示す模式的な正面図である。
【図４】設定画面のフォーマット変換の設定ページが表示出力された状態を示す模式的な正面図である。
【図５】画像処理装置の印刷出力のための処理動作を示すフローチャートである。
【図６】ファクシミリ送信のための処理動作を示すフローチャートである。
【図７】フォーマット変換のための処理動作を示すフローチャートである。
【符号の説明】
【００８７】
１００    画像処理装置
１０１    データ保持部
１０２    データ変換部
１１１    印刷操作部
１１２    印刷制御部
１１３    印刷伝送部
１２１    ファクシミリ操作部
１２２    ファクシミリ制御部
１２３    ファクシミリ伝送部
１３１    変換操作部
１３２    保持制御部
１３３    画像保持部
２２０    プリンタユニット
２３０    ファクシミリユニット
１０００    画像処理システム
【図１】
2008131131.tif 000003
【図２】
2008131131.tif 000004
【図３】
2008131131.tif 000005
【図４】
2008131131.tif 000006
【図５】
2008131131.tif 000007
【図６】
2008131131.tif 000008
【図７】
2008131131.tif 000009